(57)【要約】【課題】弦巻き装置の摘みに装着させた状態で自然に摘みから外れるのを防止し、弦の巻き取り、巻き戻し操作の操作性を向上させ得る弦楽器の弦巻き装置用巻取り器を提供する。【解決手段】弦楽器の弦巻き装置１００の摘み１０４を回動操作させる操作部を有する器体１２と、器体１２を弦巻き装置１００の摘み１０４に着脱自在に係着させる係着装置１４と、を有し、係着装置１４は摘み１０４に対して器体１２を係着離脱自在としつつ係着状態での摘み１０４に対する器体１２全体の被支持と器体１２と摘み１０４との共回りとを行なわせる構造を含むことを特徴とする弦楽器の弦巻き装置用巻取り器１０から構成される。係着装置１４により、器体１２が摘みから簡単に離脱するのを防止できる。【選択図】図１
2009042698.tif 000002
【特許請求の範囲】
【請求項１】
弦楽器の弦巻き装置の摘みを回動操作させる操作部を有する器体と、
器体を弦巻き装置の摘みに着脱自在に係着させる係着装置と、を有し、
係着装置は摘みに対して器体を係着離脱自在としつつ係着状態での摘みに対する器体全体の被支持と器体と摘みとの共回りとを行なわせる構造を含むことを特徴とする弦楽器の弦巻き装置用巻取り器。
【請求項２】
係着装置は、摘みの出し入れ部と、
出し入れ部を介して相対的に挿入される摘み全体を内包するように受容する受容部と、を含むことを特徴とする請求項１記載の弦楽器の弦巻き装置用巻取り器。
【請求項３】
受容部に、摘みを挿脱自在に受け入れて受け入れ状態で摘みを弾発把持する弾発把持部が設けられていることを特徴とする請求項２記載の弦楽器の弦巻き装置用巻取り器。
【請求項４】
弾発把持部は、摘みを弾発把持する挟み部において摘みの挟み方向に常時付勢される挟み片を有することを特徴とする請求項３記載の弦楽器の弦巻き装置用巻取り具。
【請求項５】
挟み片は、開閉自在に対向配置された１対の挟み片からなることを特徴とする請求項４記載の弦楽器の弦巻き装置用巻取り具。
【請求項６】
器体の操作部は、操作者が器体全体を手で掴んで摘みの回動軸周り方向への回動操作を行わせるための手掛かり部を含むことを特徴とする請求項１ないし５のいずれかに記載の弦楽器の弦巻き装置用巻取り具。
【発明の詳細な説明】
【技術分野】
【０００１】
本発明は、例えば、ギター等の弦楽器の弦巻き装置用巻取り器に関する。
【背景技術】
【０００２】
ギター等の弦楽器には、ヘッド部Ｈに弦を巻き取り、巻き戻しして弦を張ったり、その張り具合を調整して調弦するための弦巻き装置が弦の本数に対応して取り付けられている。図８、図９に示すように、弦巻き装置１００は、弦を巻き取る巻取軸１０２と、該巻取軸１０２を回転操作させる摘み１０４と、を含み、摘み１０４を軸周り回転させることにより、ギア等を介して連結されている巻取軸１０２を軸回転させて弦を巻き取り、巻き戻しながら弦の交換や調律が行われる。
【０００３】
弦を交換、調律する際には、弦の本数に応じてこのような弦の巻き取り、巻き戻し操作を行う必要があるが、多数の弦巻き装置１００の各々について、摘み１０４を直接手でつまんで回転操作すると、手間暇がかかり、指も痛くなるので、例えば、図８、図９に示すように、弦巻き装置用巻取り具２００が利用される場合がある（特許文献１参照）。従来の糸巻き装置用巻取り具２００は、摘み１０４を開口２０１から内部の直方体状の中空空間２０３内に挿入させる受部２０２と、受部２０２の長手方向に一体的に延長された延設部２０４と、該延設部２０４の延長端部に一端側を軸周り回転自在に枢支させたハンドル２０５と、を有している。弦巻き装置１００の摘み１０４を受部２０２内に収容した状態でハンドル２０５を手で持って回すことにより、摘み１０４を回転させて巻取軸１０２による弦の巻き取り、巻き戻しを行わせるものであった。
【特許文献１】実開平３−１１９８９４号公報
【発明の開示】
【発明が解決しようとする課題】
【０００４】
図８に示すように、例えば、弦を交換する際に、新しい弦を弦巻き装置１００に巻き付ける際には、巻き取り操作に先立って、まず新しい弦の先端側を巻取軸１０２の孔に挿通し、その挿通した弦の先端側を折り返し、弦の元側の下側を通してさらに弦の元側の上方に巻き返して引っ掛け状に絡めておく等のヒッチ作業が必要である。このようなヒッチ作業は、細かな作業であり、両手を使った作業となる。しかしながら、従来の巻き取り具２００では、開口２０１から受部２０２の中空空間内に摘み１０４を挿入させておくだけのものであるとともに、突出状に取り付けられるハンドルによりバランスも悪いので、巻き取り具２００から手を離すと該巻取り具２００は摘み１０４から簡単に外れてしまい、床上に落下しやすかった。よって、ヒッチ作業を行う際には、巻き取り具２００は、摘み１０４から外しておき、台や膝の上等に置いておく必要がある。したがって、ヒッチ作業から巻取り具２００による弦巻き装置１００の巻き回し操作へ移行する際には、片手で弦の先端側を把持しつつ、もう一方の片手のみで台上等に置いておいた巻取り具２００を取って摘み１０４に装着させる必要があるので、作業全般が煩雑で素早いスムーズな作業が行えず、時間もかかっていた。また、素早く巻取り具２００を回転操作する場合にはラフな操作となりがちであるが、この際に摘み１０４から受部２０２が外れやすいので素早い操作が行えず、操作性が悪い等の問題があった。
【０００５】
本発明は上記従来の課題に鑑みてなされたものであり、その一つの目的は、弦巻き装置の摘みに装着させた状態で自然に摘みから外れるのを防止し、弦の巻き取り、巻き戻し操作を良好に行える弦楽器の弦巻き装置用巻取り器を提供することにある。
【課題を解決するための手段】
【０００６】
上記課題を解決するために本発明は、弦楽器の弦巻き装置１００の摘み１０４を回動操作させる操作部を有する器体１２と、器体１２を弦巻き装置１００の摘み１０４に着脱自在に係着させる係着装置１４と、を有し、係着装置１４は摘み１０４に対して器体１２を係着離脱自在としつつ係着状態での摘み１０４に対する器体１２全体の被支持と器体１２と摘み１０４との共回りとを行なわせる構造を含むことを特徴とする弦楽器の弦巻き装置用巻取り器１０から構成される。係着装置１４は、摘みの回動軸に対して器体１２の操作部の操作回転軸がぶれないように係着する構成であるとよい。
【０００７】
また、係着装置１４は、摘みの出し入れ部（１８）と、出し入れ部（１８）を介して相対的に挿入される摘み１０４全体を内包するように受容する受容部（２４）と、を含むこととしてもよい。
【０００８】
この際、受容部に、摘み１０４を挿脱自在に受け入れて受け入れ状態で摘み１０４を弾発把持する弾発把持部２４が設けられていることとしてもよい。
【０００９】
また、弾発把持部２４は、摘み１０４を弾発把持する挟み部において摘み１０４の挟み方向に常時付勢される挟み片２６を有することとしてもよい。挟み片２６の摘み１０４の挟み部分には、滑り止め手段として、凹凸を設けたりゴム等の摩擦部材を取り付けることとしても良い。挟み片の形状、大きさは、任意でよく、例えば、摘みの大きさに対応して略同じ大きさや、摘みより大きく形成して摘み全体を挟むこととしてもよく、また摘みより小さく形成して摘みの一部を挟むこととしてもよい。
【００１０】
また、挟み片２６は、開閉自在に対向配置された１対の挟み片からなることとしてもよい。
【００１１】
また、器体１２の操作部は、操作者が器体１２全体を手で掴んで摘み１０４の回動軸周り方向への回動操作を行わせるための手掛かり部２０を含むこととしてもよい。
【発明の効果】
【００１２】
本発明の弦楽器の弦巻き装置用巻取り器によれば、弦楽器の弦巻き装置の摘みを回動操作させる操作部を有する器体と、器体を弦巻き装置の摘みに着脱自在に係着させる係着装置と、を有し、係着装置は摘みに対して器体を係着離脱自在としつつ係着状態での摘みに対する器体全体の被支持と器体と摘みとの共回りとを行なわせる構造を含むことから、例えば、巻取り器から手を離した状態でも該器体が摘みから離脱されることなく該摘みに支持された状態となり、器体を摘みに装着させたまま両手を自由に使うことができる結果、例えば、新たな弦を張る際の弦の巻き取りに先立つヒッチ作業のように両手を使う作業と、巻取り器による摘みの回動操作と、の作業間の移行を素早くスムーズに行うことができ、使い勝手が良い。さらに、摘みの回動操作を行う際にある程度ラフに操作しても、器体が摘みから離脱しにくいので、確実に摘みを回動させて、スピーディに弦の巻き取りや巻き戻し操作を行える。
【００１３】
また、係着装置は、摘みの出し入れ部と、出し入れ部を介して相対的に挿入される摘み全体を内包するように受容する受容部と、を含むこと構成であるから、出し入れ部を介して摘みを出し入れ操作させることによって、係着状態での摘みに対する器体全体の被支持と器体と摘みとの共回りとを行なわせる構造であっても、係着離脱操作を簡単に行なえる。さらに、受容部で摘み全体を内包するように受容させて、確実に器体を摘みへ係着させることができるとともに、例えば、摘みより大きく形成される器体を片手の略全体で包むように確実に掴んで回動操作でき、操作性を向上させうる。
【００１４】
また、受容部に、摘みを挿脱自在に受け入れて受け入れ状態で摘みを弾発把持する弾発把持部が設けられていることから、係着装置を具体的に実現でき、摘みの係着離脱操作を簡単に行なえるとともに摘みを弾発把持して係着状態を良好に保持し、器体の摘みへの被支持及び摘みの回動操作を確実に行うことができる。
【００１５】
また、弾発把持部は、摘みを弾発把持する挟み部において摘みの挟み方向に常時付勢される挟み片を有することから、弾発付勢力により挟み片を開閉させて、器体を摘みに係着離脱操作を簡単に行えるとともに、確実に係着させて器体の摘みへの被支持及び回動操作時の摘みとの共回りを具現できる。
【００１６】
また、挟み片は、開閉自在に対向配置された１対の挟み片からなることから、確実に摘みを把持できる挟み片を具体的に実現できる。
【００１７】
また、器体の操作部は、操作者が器体全体を手で掴んで摘みの回動軸周り方向への回動操作を行わせるための手掛かり部を含むことから、器体全体を手の略全体で包むように掴んで操作できるので、手や指の局所的な部分に負担をかけることなく比較的大きな力を器体に作用させて、器体を確実に回転操作させることができ、操作性が良い。
【発明を実施するための最良の形態】
【００１８】
以下添付図面を参照しつつ本発明の弦楽器の弦巻き装置用巻取り器について説明する。本発明の弦楽器の弦巻き装置用巻取り器は、例えば、ギター等の弦楽器の弦の交換や調律等の際に、弦巻き装置の摘みに着脱自在に装着され、該摘みを回動操作させて弦の巻き取り、巻き戻し操作を行えるものである。図１ないし図６は、本発明の弦楽器の弦巻き装置用巻取り器の一実施形態を示している。なお、例えば、弦巻き装置等の背景技術で説明した部材と同一部材には同一符号を付している。本実実施形態において、弦楽器の弦巻き装置用巻取り器（以下、単に「巻取り器」という）１０は、弦楽器の弦巻き装置１００の摘み１０４を回動操作させる操作部を有する器体１２と、器体１２を弦巻き装置１００の摘み１０４に着脱自在に係着させる係着装置１４と、を有している。
【００１９】
図１、図２に示すように、器体１２は、摘み１０４に装着され、操作部を介して摘みの回動操作を該摘み１０４と共回り状態で行わせる。本実施形態では、器体１２は、例えば、硬質合成樹脂で形成され、中空円筒状の筒体からなり、摘み１０４の大きさよりも大きな内部空間１２ａを有している。該筒体は、円筒側面壁１６ｃの両端側すなわち円形の上下底面をそれぞれ第１、第２端面壁１６ａ、１６ｂで閉鎖されている。図４にも示すように、一方側の第１端面壁１６ａ（図１上、下面側の壁）には、摘み１０４を器体の内部空間１２ａに出し入れさせるための長方形状の挿入開口１８が設けられている。すなわち、器体１２は、器体内部に摘み１０４全体を内部に内包した状態で該摘み１０４に装着される。本実施形態では、摘み１０４の回動軸（図６上、Ｘ）と器体の円筒状の筒体の軸線が略一致しており、摘み１０４の回動軸周りに器体の円筒側面壁１６ｃが形成される。そして、器体１２の円筒側面壁１６ｃの外面側が操作者の操作用手掛かり部２０となり、器体１２全体を操作者が手を掴んで摘み１０４の回動軸周り方向への回動操作を行うことができる。すなわち、本実施形態では、操作部は、器体１２の円筒側面壁１６ｃ全体で形成される手掛かり部２０を含む。図５、図６にも示すように、摘み１０４は、扁平形状に設けられているのでその回動軸回りに回動されると摘みの指掛け面の方向が変わるので、直接手で回動操作する際には手首や指を無理な方向に捻る場合がある。それに対して、本実施形態のように、手掛かり部２０を含み器体全体が円筒形状であり、該器体に摘み全体を内包しているので、摘み１０４より大きな器体全体を手掛かり部２０としてモーメントを大きく確保しつつ、片手の略全体で掴んだ状態で回動操作できるので操作性が良い。同時に、摘みの回動軸回りの回転角度とは無関係に、常に同じように簡単に手を掛けることができ手首や指等を無理に捻ることなく楽に回動操作することができる。また、ヘッド部Ｈの左右に並設されている多数の弦巻き装置のいずれの摘み１０４に係着させる場合でも、場所に左右されず良好かつ確実に回動操作できる。図２に示すように、器体１２の円筒外側面には、多数の細かな凹凸部２２が形成されており、操作時に指が滑るのを防止する滑り止め手段となっており、確実な回動操作を行うことができる。なお、図上では、凹凸部２２は円筒側面壁に多数の線を描いて概略して示している。滑り止め手段としては、円筒側面壁１６ｃに凹凸部を形成するのに限らず、例えば、円筒側面壁１６ｃ外面にゴム等の摩擦力が高い素材で形成してもよい。なお、器体１２は、摘み１０４を内包できるように摘みに対して大きな内部空間を有して形成されるが、器体は隣接する摘み１０４とは干渉しない大きさに設定されるとよい。また、器体は円筒体に限らず、例えば、楕円筒状、角柱状、その他自然物やキャラクタ等を模した立体形状等その他任意の立体形状でもよい。
【００２０】
図１、図３に示すように、係着装置１４は、器体１２を摘み１０４に着脱自在に係着させる係着手段である。本実施形態では、係着装置１４は、摘み１０４に対して器体１２を係着離脱自在としつつ、係着状態での摘み１０４に対する器体１２全体の被支持と器体１２と摘みとの共回りとを行なわせる構造を含む。すなわち、係着装置１４は、器体１２を摘み１０４に対して係着させた状態では、操作者が摘み１０４に対する器体１２の離脱操作を行わない限り、該係着状態を維持して器体全体が摘み１０４に支持されるようになっており、器体１２から手を離した状態でも摘み１０４から器体が離脱して落下するのを良好に防止できる。係着装置１４は、具体的には、摘み１０４の出し入れ部と、出し入れ部を介して相対的に挿入される摘み１０４全体を内包するように受容する受容部と、を含む。本実施形態では、出し入れ部は、上述の器体１２の第１端面壁１６ａに形成された挿入開口１８からなる。受容部は、器体１２の内部空間１２ａに設けられており、該受容部には、挿入開口１８から器体内部空間１２ａに挿入される摘み１０４挿脱自在に受け入れて、受け入れ状態で摘み１０４を弾発把持する弾発把持部２４が設けられている。
【００２１】
図１、図３に示すように、本実施形態では、弾発把持部２４は、例えば、器体１２内に内蔵されており、開閉自在に対向配置された１対の挟み片２６と、該挟み片２６を閉鎖方向に常時付勢する弾発部材２８と、を含む。すなわち、本実施形態では、挟み片２６が摘み１０４を挿脱自在に受け入れて把持する挟み部を構成し、弾発部材２８は挟み片２６を摘み１０４の挟み方向に常時付勢しており、挟み片２６と弾発部材２８とが協働して係着構造を実現している。
【００２２】
挟み片２６は、例えば、プラスチック等の硬質合成樹脂等から形成されており、摘み１０４の指掛け面と略同程度の面積で数ｍｍ程度のある程度厚みをもった矩形板部材からなり、器体内部空間１２ａに配置されている。挟み片２６は、器体１２の挿入開口１８から挿入される摘み１０４の挿入方向すなわち円筒軸線方向に略沿うように或いは若干斜めに立てて配置されて、対向内面を扁平形状の摘み１０４を受け入れた際に該摘み１０４の指掛け面へ当着させて挟み手段を構成している。挟み片２６は、長方形状の挿入開口１８に臨む図１上、下側の端縁側を自由端としつつ、挿入開口側と対向して挿入奥側となる図１上、上方側の端縁側を蝶番等の枢支部３０を介して枢支連結されて自在に開閉可能となっている。挟み片２６は、例えば、第１端面壁１６ａから器体内部空間１２ａに挿入開口１８の短辺方向の両外側位置に互いに対向するとともに挟み片に対しても対向して立設された壁面を含む支持部材３２に弾発部材２６を介して支持されている。図６にも示すように、１対の挟み片２６は、それぞれが可動片となり、閉鎖方向に付勢されている。挟み片２６の挿入開口１８に臨む端縁側には、摘み１０４の挿入方向となる内側に向けて傾斜したテーパ部２６ａが形成されている。挿入開口１８から摘み１０４が挿入されると、テーパ部２６ａに誘導されて確実に挟み片２６間に誘導される。弾発部材２６は、例えば、コイルバネからなり、支持部材３２と挟み片２６との対向間部分にそれぞれ３個ずつ介設されて、挟み片２６の支持と閉鎖方向への付勢をしている。図６に示すように、摘み１０４を挿入開口１８から挿入させると、摘みの挿入先端側が挟み片のテーパ部２６ａに当たり、さらに押し込み操作させると、弾発部材２６の付勢力に抗して挟み片２６が開いて、その間に摘みを受け入れる。挟み片２６間に受け入れた状態では弾発部材２８により摘みの挟み方向に常時付勢されるので、簡単に器体１２が摘みから離脱するのを防止し、摘みに器体全体を支持させる構成を実現できる。すなわち、本実施形態では、操作者により器体１２を摘み１０４に対して圧着状に押し込み操作するだけで簡単に係着させることができる。一方で、操作者により、器体を摘み１０４から引き抜き操作するだけで、摘みに対して器体１２を簡単に離脱させることができる。したがって、係着状態で器体の被支持及び摘みとの共回り等を行なわせる構造を有した構成であっても、器体の係着離脱動作を極めて簡単に行なえるので、使い勝手が良い。
【００２３】
なお、図７には、係着装置１４の他の形態を示している。図７に示すように、例えば、弾発把持部２４の構成が異なっており、挟み片２６を摘みの挟み方向に付勢する弾発部材として、対向配置される１対挟み片２６の外側から掛けられて、互いに閉鎖方向に付勢する無端状弾性部材すなわち輪ゴム３４を含む。なお、図７では、弾発部材として挟み片２６を支持部材３２に支持するコイルバネ３６も有しており、輪ゴム３４とコイルバネ３６とが協働して挟み片２６を付勢する構成となっている。図に示すように、挟み片２６の対向外側には、凹部３８が形成されており、輪ゴム３４の内孔部に挟み片２６を内装させた状態で該凹部３８に輪ゴム３４を係止させて、輪ゴムの位置ずれや離脱を防止している。なお、凹部の代わり突部を設けて輪ゴムの位置ずれや離脱を防止するようにしてもよい。なお、図１ないし図７に示した上述の実施形態では、１対の挟み片２６は、両方とも可動片で構成したが、例えば、一方の挟み片を器体内部等に固定させた固定片とし、他方の挟み片を固定片に対して開閉する可動片とするように構成してもよい。また、図１、図７上では、挟み片２６は、摘み１０４を挟んでいない閉鎖状態では略三角形状の間隙が形成されるようになっているが、互いの対向面が密着されるように構成してもよい。また、挟み片２６は枢支部３０により互いに連結されて開閉できるようにしているが、例えば、それぞれの挟み片を近接離隔方向に互いにスライド自在として開閉するようにしてもよい。また、弾発部材２６は、コイルバネに限らず、板バネ或いは、ゴム等その他の弾性体等の付勢部材でもよい。また、弾発部材２８は、例えば、器体を構成する筒体内部に直接支持させてもよい。また、例えば、枢支部３０自体に挟み片２６を閉鎖方向に付勢するバネ部材を構成させることとしてもよい。また、弾発把持部２４は、例えば、挟み片２６自体を弾発性素材で形成して、挟み片が摘みの挟み方向へ付勢されるように開閉する構成としてもよい。例えば、挟み片２６をある程度の弾性を有する比較的硬いゴムや樹脂素材等で形成し、器体内部に固定配置させて構成することとしてもよい。
【００２４】
本実施形態に係る巻取り具１０を使用する際には、図５に示すように、器体１２の手掛かり部２０を手に掴み、長方形状の挿入開口１８の向きを弦楽器の弦巻き装置１００の摘み１０４の向きに合わせた状態で、器体１２をヘッド部側に向けて圧着状に押し付けて該摘み１０４を挿入開口１８から器体内部空間に挿入させる。その際、器体全体のヘッド部Ｈ側に向けた圧着状の押し込み操作に伴って、摘み１０４が挟み片２６のテーパ部２６ａに案内された後、弾性部材２８の付勢力に抗して挟み片２６を外側に押し広げて、該挟み片２６の間に挿入される。図６に示すように、挟み片２６間に摘みを受け入れた状態では、挟み片は弾性部材２８により摘みの挟み方向に常時付勢されており、これにより器体が摘みに係着される。この係着状態では、該付勢された挟み片２６により摘み１０４に対して係着状態を維持して、摘み１０４に器体全体が支持される。そして、手掛かり部２０を介して器体全体を手で掴んで軸回り回転させると、挟み片による摘みの係着状態のまま器体と摘みとが共回りして、摘みを回動軸（Ｘ）回りに回動操作でき、巻取軸１０２を軸回動させて弦の巻取り又は巻き戻し操作を行える。これにより、操作者により器体１２を摘み１０４に対して圧接状に押し込み操作するだけで簡単に係着させることができる。さらに、器体全体が摘み１０４に支持されるので、器体を摘みに装着させた状態で、両手を自由に使うことができる。よって、例えば、新たな弦を張る際に、弦の巻き取り作業に先立ってヒッチ作業を行う際にも、器体１４を摘み１０４に装着させておくことができ、ヒッチ作業から弦の巻取り作業へスムーズに移行して、素早い弦の巻取り作業を行える。また、係着状態を維持して摘み１０４から簡単に外れにくいとともに、該器体が摘み全体を内包しており、片手の略全体で手掛かり部を覆うように掴んだ状態で回動操作できるうえ、比較的大きなモーメントを確保できる構造であるので、操作性がよく、ある程度ラフな素早い回動操作でも確実に摘みを回動させることができる。巻取り器１０による弦の巻取り、巻き戻し操作を終了した後には、操作者によりその器体全体を手で掴んで引き抜き操作するだけで、摘みに対して器体１２を簡単に離脱させることができ、以下同様に他の弦巻き装置に係着させて巻き取り、巻き戻し回動操作を行う。
【００２５】
以上説明した本発明の弦楽器の弦巻き装置用巻取り器は、上記した実施形態のみの構成に限定されるものではなく、特許請求の範囲に記載した本発明の本質を逸脱しない範囲において、任意の改変を行ってもよい。
【産業上の利用可能性】
【００２６】
本発明の弦楽器の弦巻き装置用巻取り器は、例えば、ギター等の撥弦楽器、ヴァイオリン等の擦弦楽器等の種々の弦楽器の弦巻き装置の摘みに装着されて利用される。
【図面の簡単な説明】
【００２７】
【図１】本発明の弦楽器の弦巻き装置用巻取り器の実施形態の一部破断して内部を見せた状態の正面図である。
【図２】図１の弦楽器の弦巻き装置用巻取り器の概略斜視図である。
【図３】図１のＡ−Ａ線断面図である。
【図４】図１の弦楽器の弦巻き装置用巻取り器の底面図である。
【図５】図１の弦楽器の弦巻き装置用巻取り器の作用説明図である。
【図６】摘みに弦楽器の弦巻き装置用巻取り器を装着させた状態の断面説明図である。
【図７】弾発把持部の他の形態を示す説明図である。
【図８】弦楽器の弦巻き装置、及び従来の弦楽器の弦巻き装置用巻取り具の説明図並びに弦を新しく張る際の作用説明図である。
【図９】図８に示した弦楽器の弦巻き装置、従来の弦楽器の弦巻き装置用巻取り具の説明図である。
【符号の説明】
【００２８】
１０    巻取り器
１２    器体
１４    係着装置
１８    挿入開口
２０    手掛かり部
２４    弾発把持部
２６    挟み片
１００  弦巻き装置
１０４  摘み
【図１】
2009042698.tif 000003
【図２】
2009042698.tif 000004
【図３】
2009042698.tif 000005
【図４】
2009042698.tif 000006
【図５】
2009042698.tif 000007
【図６】
2009042698.tif 000008
【図７】
2009042698.tif 000009
【図８】
2009042698.tif 000010
【図９】
2009042698.tif 000011